【手続補正書】
【提出日】平成16年3月23日(2004.3.23)
【手続補正１】
【補正対象書類名】明細書
【補正対象項目名】発明の名称
【補正方法】変更
【補正の内容】
【発明の名称】顕微鏡撮影装置


【手続補正２】
【補正対象書類名】明細書
【補正対象項目名】特許請求の範囲
【補正方法】変更
【補正の内容】
【特許請求の範囲】
【請求項１】
標本の明るさを測定する測光部と、前記測光部で測定した測光値に基づいて露出値を演算する制御部と、前記制御部で演算された露出値に基づいて撮影を行う撮影部とを備えた顕微鏡撮影装置において、
複数回の撮影の各々に対応する露出補正値を設定するための補正値設定部と、
顕微鏡の照明光の波長を切換える切換手段とを備え、
前記補正値設定部は、前記照明光の波長に応じた露出補正値を設定し、
前記制御部は、前記切換手段により切換えられた前記照明光の波長に対応する前記露出補正値に基づき、前記露出値を補正することを特徴とする顕微鏡撮影装置。
【請求項２】
前記制御部は、前記切換手段から前記波長の切換え完了の信号を受ける毎に、次の撮影の露出補正値に切換えることを特徴とする請求項１に記載の顕微鏡撮影装置。
【請求項３】
前記制御部は、前記撮影部から撮影の終了を示す信号を受ける毎に、次の撮影の露出補正値に切換えることを特徴とする請求項１に記載の顕微鏡撮影装置。
【請求項４】
前記制御部は、前記撮影部から撮影の終了を示す信号を受ける毎に、前記切換手段に指示を出し、前記照明光の波長を切換えることを特徴とする請求項２又は３に記載の顕微鏡撮影装置。
【請求項５】
前記制御部は、前記切換手段から前記照明光の波長切換えの終了を示す信号を受ける毎に前記撮影部に対して撮影指示の信号を出力することを特徴とする請求項２又は３に記載の顕微鏡撮影装置。
【請求項６】
標本の明るさを測定する測光部と、前記測光部で測定した測光値に基づいて露出値を演算する制御部と、前記制御部で演算された露出値に基づいて撮影を行う撮影部とを備えた顕微鏡撮影装置において、
標本に照射する励起光の波長を選択する光学部材と、前記光学部材を切り換える切換装置と、前記光学部材に対応する露出補正値を設定する補正値設定部とを備え、
前記制御部は、撮影指示に基づいて前記光学部材の切換えを順次行わせて前記撮影部に撮影を行わせるとともに、前記光学部材の切換えに連動して前記補正値設定部で設定された複数の前記露出補正値を撮影毎に切換えて露出値を補正することを特徴とする顕微鏡撮影装置。
【手続補正３】
【補正対象書類名】明細書
【補正対象項目名】０００１
【補正方法】変更
【補正の内容】
【０００１】
【発明の属する技術分野】
この発明は同一の標本に対して露出値の異なる複数枚の撮影を行う顕微鏡撮影装置に関する。


【手続補正４】
【補正対象書類名】明細書
【補正対象項目名】０００２
【補正方法】変更
【補正の内容】
【０００２】
【従来の技術】
図１２は従来の顕微鏡撮影装置の全体図である。


【手続補正５】
【補正対象書類名】明細書
【補正対象項目名】０００９
【補正方法】変更
【補正の内容】
【０００９】
この発明はこのような事情に鑑みてなされたもので、その課題は同一の標本について光学部材を切り換えながら複数回の撮影を行う場合、撮影者の操作を大幅に減少させて、操作ミスを排除することができる顕微鏡撮影装置を提供することである。


【手続補正６】
【補正対象書類名】明細書
【補正対象項目名】００１０
【補正方法】変更
【補正の内容】
【００１０】
【課題を解決するための手段】
上記課題を解決するため請求項１に記載の発明の顕微鏡撮影装置は、標本の明るさを測定する測光部と、前記測光部で測定した測光値に基づいて露出値を演算する制御部と、前記制御部で演算された露出値に基づいて撮影を行う撮影部とを備えた顕微鏡撮影装置において、複数回の撮影の各々に対応する露出補正値を設定するための補正値設定部と、顕微鏡の照明光の波長を切換える切換手段とを備え、前記補正値設定部は、前記照明光の波長に応じた露出補正値を設定し、前記制御部は、前記切換手段により切換えられた前記照明光の波長に対応する前記露出補正値に基づき、前記露出値を補正することを特徴とする。


【手続補正７】
【補正対象書類名】明細書
【補正対象項目名】００１２
【補正方法】変更
【補正の内容】
【００１２】
請求項２に記載の発明の顕微鏡撮影装置は、請求項１に記載の顕微鏡撮影装置において、前記制御部は、前記切換手段から前記波長の切換え完了の信号を受ける毎に、次の撮影の露出補正値に切換えることを特徴とする。


【手続補正８】
【補正対象書類名】明細書
【補正対象項目名】００１３
【補正方法】変更
【補正の内容】
【００１３】
切換手段から光学部材の切換え完了の信号が出力される毎に露出補正値の切換えを行うため、操作ミスをおかさずに撮影を行うことができる。


【手続補正９】
【補正対象書類名】明細書
【補正対象項目名】００１４
【補正方法】変更
【補正の内容】
【００１４】
請求項３に記載の発明の顕微鏡撮影装置は、請求項１に記載の顕微鏡撮影装置において、前記制御部は、前記撮影部から撮影の終了を示す信号を受ける毎に、次の撮影の露出補正値に切換えることを特徴とする。


【手続補正１０】
【補正対象書類名】明細書
【補正対象項目名】００１５
【補正方法】変更
【補正の内容】
【００１５】
撮影の指示を受ける毎に光学部材が切換わるため、操作ミスをおかさずに撮影を行うことができる。


【手続補正１１】
【補正対象書類名】明細書
【補正対象項目名】００１６
【補正方法】変更
【補正の内容】
【００１６】
請求項４記載の発明の顕微鏡撮影装置は、請求項２又は３に記載の顕微鏡撮影装置において、前記制御部は、前記撮影部から撮影の終了を示す信号を受ける毎に、前記切換手段に指示を出し、前記照明光の波長を切換えることを特徴とする。このことにより、照明光の波長を切換える手間をかけずに撮影を行うことができる。


【手続補正１２】
【補正対象書類名】明細書
【補正対象項目名】００１７
【補正方法】変更
【補正の内容】
【００１７】
請求項５記載の発明の顕微鏡撮影装置は、請求項２又は３に記載の顕微鏡撮影装置において、前記制御部は、前記切換手段から前記照明光の波長切換えの終了を示す信号を受ける毎に前記撮影部に対して撮影指示の信号を出力することを特徴とする。このことにより、撮影指示の手間をかけずに、複数枚の撮影を行うことができる。


【手続補正１３】
【補正対象書類名】明細書
【補正対象項目名】００１８
【補正方法】変更
【補正の内容】
【００１８】
請求項６に記載の発明の顕微鏡撮影装置は、標本の明るさを測定する測光部と、前記測光部で測定した測光値に基づいて露出値を演算する制御部と、前記制御部で演算された露出値に基づいて撮影を行う撮影部とを備えた顕微鏡撮影装置において、標本に照射する励起光の波長を選択する光学部材と、前記光学部材を切り換える切換装置と、前記光学部材に対応する露出補正値を設定する補正値設定部とを備え、前記制御部は、撮影指示に基づいて前記光学部材の切換えを順次行わせて前記撮影部に撮影を行わせるとともに、前記光学部材の切換えに連動して前記補正値設定部で設定された複数の前記露出補正値を撮影毎に切換えて露出値を補正することを特徴とする。


【手続補正１４】
【補正対象書類名】明細書
【補正対象項目名】００２１
【補正方法】変更
【補正の内容】
【００２１】
図２はこの発明の一実施形態に係る顕微鏡撮影装置の顕微鏡部分の破断面図、図３はフィルタカセットの分解斜視図である。従来の顕微鏡撮影装置と同一部分については同一符号を付して示す（以下同様）。


【手続補正１５】
【補正対象書類名】明細書
【補正対象項目名】００３１
【補正方法】変更
【補正の内容】
【００３１】
図１はこの発明の第１実施形態に係る顕微鏡撮影装置のブロック構成図である。


【手続補正１６】
【補正対象書類名】明細書
【補正対象項目名】００７５
【補正方法】変更
【補正の内容】
【００７５】
以下に、上述した図６〜図１１に示す制御を行う顕微鏡撮影装置において、３枚の写真撮影を行なう際、手動で行なう操作と自動で行われる操作とを表１を用いて示す。


【手続補正１７】
【補正対象書類名】明細書
【補正対象項目名】００７７
【補正方法】変更
【補正の内容】
【００７７】
【発明の効果】
以上に説明したように請求項１記載の発明の顕微鏡撮影装置によれば、制御部は、切換手段により切換えられた照明光の波長に対応する露出補正値に基づき、露出値を補正するので、撮影終了毎に光学部材を切換えて異なる波長の励起光で大量の標本を観察する場合、露出調整の煩わしさや操作ミスをおかさずに撮影を行うことが出来る。
【手続補正１８】
【補正対象書類名】明細書
【補正対象項目名】００７８
【補正方法】削除
【補正の内容】
【手続補正１９】
【補正対象書類名】明細書
【補正対象項目名】００７９
【補正方法】削除
【補正の内容】
【手続補正２０】
【補正対象書類名】明細書
【補正対象項目名】００８０
【補正方法】削除
【補正の内容】
【手続補正２１】
【補正対象書類名】明細書
【補正対象項目名】００８１
【補正方法】削除
【補正の内容】
【手続補正２２】
【補正対象書類名】明細書
【補正対象項目名】００８２
【補正方法】変更
【補正の内容】
【００８２】
請求項６記載の発明の顕微鏡撮影装置によれば、光学部材を切換えて異なる波長の励起光で標本を観察する場合でも、１回撮影の指示を行うだけで、予め設定されている露出補正値により複数枚の撮影を行うことができるので、同一の標本について光学部材を切り換えながら複数回の撮影を行う場合、光学部材の切換えと露出補正とが全て自動化されたため、撮影者の操作を大幅に減少させて、操作ミスを排除することができ、撮影時間の短縮を図ることができる。


【手続補正２３】
【補正対象書類名】明細書
【補正対象項目名】図１
【補正方法】変更
【補正の内容】
【図１】図１はこの発明の一実施形態に係る顕微鏡撮影装置のブロック構成図である。


【手続補正２４】
【補正対象書類名】明細書
【補正対象項目名】図２
【補正方法】変更
【補正の内容】
【図２】図２はこの発明の第１実施形態に係る顕微鏡撮影装置の顕微鏡部分の要部の部分断面図である。


【手続補正２５】
【補正対象書類名】明細書
【補正対象項目名】図１２
【補正方法】変更
【補正の内容】
【図１２】図１２は従来の顕微鏡撮影装置を備えた顕微鏡装置の全体図である。